(57)【要約】【課題】  配線盤内の空きスペースの状況に合わせて好適に配線盤内への収容が可能なスプリッタモジュールを提供する。【解決手段】  スプリッタモジュール１は、複数の出力側光ファイバ心線１２と接続される出力側光ソケット２ｂ，３ｂを保持する出力側ソケットホルダ２ａ，３ａが取り付けられた第１の筐体２及び第２の筐体３を有している。第１の筐体２と第２の筐体３とは、ヒンジ部５によって折り畳み可能（開閉可能）に連結されている。さらに、スプリッタモジュール１は、第１の筐体２に取り付けられ、入力側光ファイバ心線１１と接続される入力側光ソケット４ｂを保持する保持部材４を備える。【選択図】  図１
2010122530.tif 000002
【特許請求の範囲】
【請求項１】
入力側光ファイバ心線から入射した光信号を分岐させて複数の出力側光ファイバ心線に出射する光スプリッタを有するスプリッタモジュールにおいて、
前記複数の出力側光ファイバ心線と接続される出力側光ソケットを保持する出力側ソケットホルダが取り付けられた第１の筐体及び第２の筐体と、
前記第１の筐体と前記第２の筐体とを折り畳み可能に連結するヒンジ部と、
前記第１の筐体及び前記第２の筐体の何れか一方に取り付けられ、前記入力側光ファイバ心線と接続される入力側光ソケットを保持する保持部材と、を備えることを特徴とするスプリッタモジュール。
【請求項２】
前記保持部材は、前記第１の筐体と前記第２の筐体との開閉方向に対応する方向に回動可能に取り付けられていることを特徴とする請求項１記載のスプリッタモジュール。
【請求項３】
前記出力側ソケットホルダは、前記第１の筐体と前記第２の筐体とを折り畳んだ状態において、前記第１の筐体及び前記第２の筐体の同じ一端側にそれぞれ取り付けられ、
前記第１の筐体及び前記第２の筐体の何れか一方の前記出力側ソケットホルダの取り付け側の端位置は、他方の前記出力側ソケットホルダの取り付け側の端位置よりも突出していることを特徴とする請求項１又は請求項２記載のスプリッタモジュール。
【請求項４】
前記出力側ソケットホルダは、前記第１の筐体と前記第２の筐体との開閉方向に対応する方向に回動可能にそれぞれ取り付けられていることを特徴とする請求項１〜３の何れか一項記載のスプリッタモジュール。
【請求項５】
前記入力側光ソケットは、前記保持部材に対して回動可能に取り付けられた入力側ソケットホルダに保持されていることを特徴とする請求項１〜４の何れか一項記載のスプリッタモジュール。
【発明の詳細な説明】
【技術分野】
【０００１】
本発明は、光信号を分岐させる光スプリッタを有するスプリッタモジュールに関するものである。
【背景技術】
【０００２】
スプリッタモジュールは、例えば集合住宅等に設置された配線盤内に収容され、架空から引き落とされた光ケーブルにより送られてきた光信号を分岐させて各家庭に伝送するものである。このようなスプリッタモジュールとしては、例えば特許文献１に記載されているように、光ケーブルを分岐して受ける心線受部と、この心線受部で分岐された複数の光ファイバ心線を各光ソケットに接続するコネクタ収納部とを備えた箱形状のスプリッタモジュールが知られている。
【特許文献１】特開２００７―１２１３９８号公報
【発明の開示】
【発明が解決しようとする課題】
【０００３】
特許文献１に記載のようなスプリッタモジュールは、既築の建物内の配線盤内に備え付けられることが多い。既築の建物内の配線盤内には既に他の機器やケーブル等が収容されている。そして、これらの機器やケーブル等の収容状況や、配線盤の形状や寸法等は、建物ごとに異なっている。したがって、配線盤内の空きスペースの状況は建物ごとに異なる場合が多い。このため、特許文献１に記載のようなスプリッタモジュールでは、配線盤内への収容が困難な場合がある。
【０００４】
そこで、本発明は、配線盤内の空きスペースの状況に合わせて好適に配線盤内への収容が可能なスプリッタモジュールを提供することを目的とする。
【課題を解決するための手段】
【０００５】
本発明のスプリッタモジュールは、入力側光ファイバ心線から入射した光信号を分岐させて複数の出力側光ファイバ心線に出射する光スプリッタを有するスプリッタモジュールにおいて、複数の出力側光ファイバ心線と接続される出力側光ソケットを保持する出力側ソケットホルダが取り付けられた第１の筐体及び第２の筐体と、第１の筐体と第２の筐体とを折り畳み可能に連結するヒンジ部と、第１の筐体及び第２の筐体の何れか一方に取り付けられ、入力側光ファイバ心線と接続される入力側光ソケットを保持する保持部材と、を備えることを特徴とする。
【０００６】
このような本発明のスプリッタモジュールにおいては、第１の筐体と第２の筐体とを折り畳み可能に連結するヒンジ部を有する。このため、スプリッタモジュールを、配線盤内の空きスペースの状況に合わせて好適に配線盤内へ収容することができる。例えば、配線盤内の空きスペースが、奥行きは有るが縦横方向に狭いような状況においては、第１の筐体と第２の筐体とを折り畳んだ（閉じた）状態とすることで、スプリッタモジュールを好適に配線盤内に収容可能となる。また、配線盤内の空きスペースが、縦横方向に比較的広いが、奥行きが無いような状況においては、第１の筐体と第２の筐体とを折り畳まない（開いた）状態とすることで、スプリッタモジュールを好適に配線盤内に収容可能となる。
【０００７】
また、本発明のスプリッタモジュールにおいては、保持部材は、第１の筐体と第２の筐体との開閉方向と対応する方向に回動可能に取り付けられていることが好ましい。この場合には、保持部材が回動可能であるため、保持部材に保持された入力側光ソケットの向きが可変となっている。このため、入力側光コードの導入方向に合わせて入力側光ソケットの向きを変えることができる。したがって、入力側光コードを不要に曲げることなく、入力側光ソケットへの入力側光コードの挿抜を行うことができる。
【０００８】
また、本発明のスプリッタモジュールにおいては、出力側ソケットホルダは、第１の筐体と第２の筐体とを折り畳んだ状態において、第１の筐体及び第２の筐体の同じ一端側にそれぞれ取り付けられ、第１の筐体及び第２の筐体の何れか一方の出力側ソケットホルダの取り付け側の端位置は、他方の出力側ソケットホルダの取り付け側の端位置よりも突出していることが好ましい。この場合、第１の筐体と第２の筐体とを折り畳んだ状態において、出力側ソケットホルダを、第１の筐体及び第２の筐体の同じ一端側にそれぞれ取り付けることにより、出力側光ソケットにコネクタ接続される複数の出力側光コードが全て同じ方向から導入される場合に、これらの出力側光コードの取り回しが行い易くなる。また、上記の状態において、第１の筐体及び第２の筐体のうちの下側に位置する筐体における出力側ソケットホルダの取り付け側の端位置を、上側に位置する筐体における出力側ソケットホルダの取り付け側の端位置よりも突出させることにより、その突出長によっては下側に位置する筐体に取り付けられた出力側ソケットホルダが上側に位置する筐体に覆われることが無い。このため、下側に位置する筐体の出力側光ソケットへの出力側光コードの挿抜を容易に行うことができる。
【０００９】
また、本発明のスプリッタモジュールにおいては、出力側ソケットホルダは、第１の筐体と第２の筐体との開閉方向に対応する方向に回動可能にそれぞれ取り付けられていることが好ましい。この場合、スプリッタモジュールを配線盤内に収容して取り付けたときに、出力側ソケットホルダを回動させて出力側光ソケットを手前側（前面側）に向けることが可能となる。これにより、出力側光ソケットに出力側光コードを挿抜しやすくなる。
【００１０】
また、本発明のスプリッタモジュールにおいては、入力側光ソケットは、保持部材に対して回動可能に取り付けられた入力側ソケットホルダに保持されていることが好ましい。この場合、入力側ソケットホルダを回動させることにより、入力側光ソケットの向きを変えることができる。したがって、入力側光コードの導入方向に合わせて、入力側光ソケットの向きを変えることが可能である。
【発明の効果】
【００１１】
本発明によれば、配線盤内の空きスペースの状況に合わせて好適に配線盤内への収容が可能なスプリッタモジュールを提供することができる。
【発明を実施するための最良の形態】
【００１２】
以下、本発明に係るスプリッタモジュールの好適な実施形態について図面を参照して詳細に説明する。
【００１３】
図１は、本発明に係るスプリッタモジュールの一実施形態の外観を示す斜視図である。図１に示される本実施形態に係るスプリッタモジュール１は、配線盤内に取り付けられて用いられる。
【００１４】
スプリッタモジュール１は、第１の筐体２と、第２の筐体３と、保持部材４と、ヒンジ部５と、を備える。第１の筐体２と第２の筐体３とは、ヒンジ部５によって折り畳み（開閉）可能に連結されている。図１に示されるスプリッタモジュール１の状態は、第１の筐体２と第２の筐体３とを折り畳んだ（閉じた）状態であり、図２に示されるスプリッタモジュール１の状態は、第１の筐体２と第２の筐体３とを折り畳まない（開いた）状態である。
【００１５】
第１の筐体２の内部には、図３に示されるように、光スプリッタ６が収容されている。光スプリッタ６は、入力側光ファイバ心線１１から入射した光信号を分岐させて複数（ここでは８本）の出力側光ファイバ心線１２に出射する。また、第１の筐体２は、先端部に出力側ソケットホルダ２ａと出力側光ソケット２ｂとを有する。出力側ソケットホルダ２ａには、一対の２連の出力側光ソケット２ｂが保持されて取り付けられている。出力側光ソケット２ｂは、スプリッタモジュール１の外部からの出力側光コード（図示せず）のコネクタプラグを受けるとともに、スプリッタモジュール１の内部において、光スプリッタ６から延びる８本の出力側光ファイバ心線１２のうちの４本の出力側光ファイバ心線１２と接続される。さらに、第１の筐体２は、後述する保持部材４を回動可能に取り付けるための回転軸７を有している。
【００１６】
第２の筐体３は、先端部に出力側ソケットホルダ３ａと出力用光ソケット３ｂとを有している。出力側ソケットホルダ３ａには、一対の２連の出力用光ソケット３ｂが保持されて取り付けられている。出力用光ソケット３ｂは、スプリッタモジュール１の外部からの出力側光コード(図示せず)のコネクタプラグを受けるとともに、スプリッタモジュール１の内部において、光スプリッタ６から延びる８本の出力側光ファイバ心線１２のうちの他の４本の出力側光ファイバ心線１２に接続される。
【００１７】
図１に示されるように、これら出力側ソケットホルダ２ａ及び出力側ソケットホルダ３ａは、第１の筐体２と第２の筐体３とを折り畳んだ状態において、第１の筐体２及び第２の筐体３の同じ一端側にそれぞれ取り付けられている。このため、出力側光ソケット２ｂ及び出力用光ソケット３ｂに接続される８本の出力側光コードが全て同じ方向から導入される場合に、これらの出力側光コードの取り回しが行い易い。また、同様の状態において、第１の筐体２の出力側ソケットホルダ２ａの取り付け側の端位置は、第２の筐体３の出力側ソケットホルダ３ａの取り付け側の端位置よりも突出している。このため、下側に位置する第１の筐体２に取り付けられた出力側ソケットホルダ２ａが、上側に位置する第２の筐体３に覆われていない。したがって、第１の筐体２の出力側光ソケット２ｂへの出力側光コードの挿抜を容易に行うことができる。
【００１８】
また、出力側ソケットホルダ２ａは、図４に示されるように、第１の筐体２の両側壁に設けられた穴部２ｄに嵌合する突起部２ｃを有している。このように、出力側ソケットホルダ２ａは、突起部２ｃが穴部２ｄに嵌合することによって、第１の筐体２に取り付けられている。このため、出力側ソケットホルダ２ａは、この突起部２ｃの位置を中心にして、第１の筐体２と第２の筐体３との開閉方向に対応する方向に回動可能となっている。これにより、スプリッタモジュール１を配線盤内に収容して取り付けたときに、出力側ソケットホルダ２ａを回動させて配線盤手前側（前面側）に向けることが可能となる。したがって、出力側光ソケット２ｂに出力側光コードを挿抜し易くなる。なお、スプリッタモジュール１においては、出力側ソケットホルダ２ａのみに限らず、出力側ソケットホルダ３ａについても回動可能に第２の筐体３に取り付ける構成とすることが可能である。
【００１９】
保持部材４は、図１等に示されるように、その一角に、入力側ソケットホルダ４ａと、入力側ソケットホルダ４ａに保持される入力側光ソケット４ｂと、を備えている。入力側光ソケット４ｂは、スプリッタモジュール１の外部からの入力側光コード（図示せず）のコネクタプラグを受けるとともに、スプリッタモジュール１の内部において光スプリッタ６へ延びる入力側光ファイバ心線１１と接続されている。入力側ソケットホルダ４ａは、保持部材４の上壁に設けられた穴部４ｄに嵌合する突起部４ｃを有している。入力側ソケットホルダ４ａは、突起部４ｃを穴部４ｄに嵌合させることにより、保持部材４に取り付けられている。このため、入力側ソケットホルダ４ａは、図１及び図５に示されるように、突起部４ｃの位置を中心に回動可能となっている。入力側ソケットホルダ４ａを回動させることにより、入力側光ソケット４ｂの向きを変えることができる。これにより、入力側光コードの導入方向に合わせて入力側光ソケット４ｂの向きを変えることができる。
【００２０】
また、保持部材４は、図３に示されるように、第１の筐体２の回転軸７によって回動可能に第１の筐体２に取り付けられている。これにより、保持部材４は、図２及び図６に示されるように、第１の筐体２と第２の筐体３との開閉方向に対応する方向に回動可能となっている。このため、保持部材４に保持された入力側光ソケット４ｂの向きが第１の筐体２と第２の筐体３との開閉方向と対応した方向に対して可変となっている。これにより、入力側光コードの導入方向に合わせて入力側光ソケット４ｂの向きを変えることができる。したがって、入力側光コードを不要に曲げることなく、入力側光ソケット４ｂへの入力側光コードの挿抜を行うことができる。なお、保持部材４の回動は、図１、図２、図６及び図７に示されるように、第１の筐体２と第２の筐体３との開閉動作に対して独立に行うことができる。
【００２１】
以上説明したように、本実施形態に係るスプリッタモジュール１においては、第１の筐体２と第２の筐体３とはヒンジ部５によって折り畳み可能に構成されている。このため、スプリッタモジュール１を、配線盤内の空きスペースの状況に合わせて好適に配線盤内へ収容することができる。例えば、配線盤内の空きスペースが、奥行きは有るが縦横方向に狭いような状況においては、図１に示されるように、第１の筐体２と第２の筐体３とを折り畳んだ（閉じた）状態とすることで、スプリッタモジュール１を好適に配線盤内に収容可能となる。また、配線盤内の空きスペースが、縦横方向に比較的広いが、奥行きが無いような状況においては、図２に示されるように、第１の筐体２と第２の筐体３とを折り畳まない（開いた）状態とすることで、スプリッタモジュールを好適に配線盤内に収容可能となる。
【００２２】
なお、本発明は、上記実施形態に限定されるものではない。例えば本実施形態においては、保持部材４は、第１の筐体２に取り付けられる構成としたが、これに限らず、第２の筐体３に取り付ける構成とすることも可能である。また、本実施形態においては、保持部材４は、第１の筐体２と第２の筐体３との開閉方向に対応する方向に回動可能としたが、図８に示されるように、第１の筐体２と第２の筐体３との開閉軸（ヒンジ部５の回転軸）と直交する方向と平行な軸１３回りに回動可能に取り付けられていてもよい。また、本実施形態においては、第１の筐体２の出力側ソケットホルダ２ａの取り付け側の端位置が、第２の筐体３の出力側ソケットホルダ３ａの取り付け側の端位置よりも突出している構成としたが、これに限らず、第２の筐体３の出力側ソケットホルダ３ａの取り付け側の端位置が、第１の筐体２の出力側ソケットホルダ２ａの取り付け側の端位置よりも突出している構成としてもよい。その場合には、第２の筐体３を下側にして、配線盤内に取り付けることが好ましい。
【図面の簡単な説明】
【００２３】
【図１】本発明に係るスプリッタモジュールの一実施形態の外観を示す斜視図である。
【図２】図１に示したスプリッタモジュールの第１の筐体と第２の筐体とを開いた状態の外観を示す斜視図である。
【図３】図１に示したスプリッタモジュールにおいて第１の筐体の内部を示す斜視図である。
【図４】図２に示した出力側ソケットホルダ及び保持部材の回動状態を示す斜視図である。
【図５】図１に示した入力側ソケットホルダの回動状態を示す斜視図である。
【図６】図２に示した保持部材の回動状態を示す斜視図である。
【図７】図１に示した保持部材の回動状態を示す斜視図である。
【図８】本発明に係るスプリッタモジュールの他の実施形態を示す斜視図である。
【符号の説明】
【００２４】
１…スプリッタモジュール、２…第１の筐体、２ａ…出力側ソケットホルダ、２ｂ…出力側光ソケット、３…第２の筐体、３ａ…出力側ソケットホルダ、３ｂ…出力側光ソケット、４…保持部材、４ａ…入力側ソケットホルダ、４ｂ…入力側光ソケット、５…ヒンジ部、６…光スプリッタ。
【図１】
2010122530.tif 000003
【図２】
2010122530.tif 000004
【図３】
2010122530.tif 000005
【図４】
2010122530.tif 000006
【図５】
2010122530.tif 000007
【図６】
2010122530.tif 000008
【図７】
2010122530.tif 000009
【図８】
2010122530.tif 000010